【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
ソーシャルネットワーク環境において、動的に選択されたメディアコンテンツを電子デバイスのユーザに提供する方法であって、
前記ユーザのために、一人以上の他のユーザとのいずれかの関係に基づいて、一人以上の他のユーザに関するメディアコンテンツの一つ以上の項目を選択するステップと、
メディアコンテンツの前記一つ以上の項目に序列を割り当てるステップと、
割り当てられた序列でメディアコンテンツの前記一つ以上の項目を前記ユーザに対して表示するステップと、
前記ソーシャルネットワーク環境におけるメディアコンテンツとの前記ユーザの少なくとも一つの相互作用を監視するステップと、
前記少なくとも一つの相互作用を利用して、メディアコンテンツの追加項目を選択するステップと
を含むことを特徴とする方法。
【請求項２】
前記監視される相互作用は、前記ユーザのために選択されるメディアコンテンツの前記項目とのものであることを特徴とする請求項１に記載の方法。
【請求項３】
前記監視される相互作用は、前記ユーザのために以前に選択されていない前記ソーシャルネットワーク環境内のメディアコンテンツの前記項目とのものであることを特徴とする請求項１に記載の方法。
【請求項４】
前記監視される相互作用は電子メールに関するユーザのものを含むことを特徴とする請求項１に記載の方法。
【請求項５】
メディアコンテンツの前記一つ以上の項目はユーザアフィニティに基づいて選択されることを特徴とする請求項１に記載の方法。
【請求項６】
前記ユーザがメディアコンテンツの好み設定を選択することを可能にするステップをさらに含むことを特徴とする請求項１に記載の方法。
【請求項７】
メディアの前記一つ以上の項目を選択するために、前記ユーザの選択されたメディアコンテンツの好み設定を利用するステップをさらに含むことを特徴とする請求項６に記載の方法。
【請求項８】
メディアの前記一つ以上の項目に序列を割り当てるために、ユーザの選択されたメディアコンテンツの好み設定を利用するステップをさらに含むことを特徴とする請求項７に記載の方法。
【請求項９】
前記序列を割り当てるステップは、ユーザアフィニティに関連したランキングに少なくとも一部基づくことを特徴とする請求項１に記載の方法。
【請求項１０】
前記ユーザが前記メディアコンテンツ表示との相互作用を介してメディアの前記一つ以上の項目に序列を割り当てることを可能にするステップをさらに含むことを特徴とする請求項１に記載の方法。
【請求項１１】
メディアコンテンツの前記追加項目は更新されたニュース記事を含むことを特徴とする請求項１に記載の方法。
【請求項１２】
ソーシャルネットワーク環境において、動的に選択されたメディアコンテンツを電子デバイスのユーザに提供するためのシステムであって、
ユーザのために、一人以上の他のユーザとのいずれかの関係に基づいて、一人以上の他のユーザに関するメディアコンテンツの一つ以上の項目を選択するように構成されるメディアセレクタと、
前記メディアセレクタと連絡して、メディアコンテンツの前記一つ以上の項目に序列を割り当てるように構成されるランキングエンジンと、
前記メディアセレクタと連絡して、前記割り当てられた序列で、メディアコンテンツの前記一つ以上の項目を前記ユーザに対して表示するように構成される表示エンジンと、
前記表示エンジンおよび前記ランキングエンジンと連絡して、前記ソーシャルネットワーク環境においてメディアコンテンツとの前記ユーザの少なくとも一つの相互作用を監視するように構成される監視モジュールと
を備えることを特徴とするシステム。
【請求項１３】
メディアコンテンツの前記一つ以上の項目は、ユーザアフィニティに基づいて選択されることを特徴とする請求項１２に記載のシステム。
【請求項１４】
前記表示エンジンは、前記ユーザが前記表示との相互作用を介してメディアの前記一つ以上の項目に序列を割り当てることを可能にするように構成されることを特徴とする請求項１２に記載のシステム。
【請求項１５】
ユーザのプロフィールを作成するように構成されるプロフィールジェネレータと、
一つ以上のメディアコンテンツの好み設定の選択を前記プロフィールに関連したユーザから受け付けるように構成される通信インタフェースと、
前記通信インタフェースと連絡して、前記一つ以上のメディアコンテンツの好み設定の選択を組み込むために、前記ユーザに関連した前記プロフィールを更新するように構成されるユーザプロフィールデータベースと
をさらに備えることを特徴とする請求項１２に記載のシステム。
【請求項１６】
前記メディアセレクタは、前記メディアコンテンツの好み設定の選択に応じて、メディアコンテンツの追加項目を選択するように構成されることを特徴とする請求項１２に記載のシステム。
【請求項１７】
前記表示エンジンは、前記表示との相互作用を介して、前記ユーザがメディアの前記一つ以上の項目に序列を割り当てることを可能にするように構成されることを特徴とする請求項１２に記載のシステム。
【請求項１８】
前記ランキングエンジンは、少なくとも一部ユーザアフィニティに基づいて、前記序列を割り当てるように構成されることを特徴とする請求項１２に記載のシステム。
【請求項１９】
ソーシャルネットワーク環境において、動的に選択されたメディアを電子デバイスのユーザに提供するためのプログラムを記憶したコンピュータ読み取り可能な媒体であって、プロセッサに、
前記ユーザのために、一人以上の他のユーザとのいずれかの関係に基づいて、該一人以上の他のユーザに関するメディアコンテンツの一つ以上の項目を選択する手順と、
メディアコンテンツの前記一つ以上の項目に序列を割り当てる手順と、
前記割り当てられた序列で、前記ユーザに対して、メディアコンテンツの前記一つ以上の項目を表示する手順と、
前記ソーシャルネットワーク環境において、メディアコンテンツとの前記ユーザの少なくとも一つの相互作用を監視する手順と、
メディアコンテンツの追加項目を選択するために、前記少なくとも一つの相互作用を利用する手順と
を実行させるための前記プログラムを記憶してなるコンピュータ読み取り可能な媒体。
【請求項２０】
メディアコンテンツの前記一つ以上の項目はユーザアフィニティに基づいて選択されることを特徴とする請求項１９に記載のコンピュータ読み取り可能な媒体。
【請求項２１】
前記序列を割り当てる手順は、少なくとも一部前記メディアコンテンツ表示との前記ユーザの相互作用に基づくことを特徴とする請求項１９に記載のコンピュータ読み取り可能な媒体。
【請求項２２】
前記序列を割り当てる手順は、少なくとも一部ユーザアフィニティに関連したランキングに基づくことを特徴とする請求項１９に記載のコンピュータ読み取り可能な媒体。
【請求項２３】
前記プロセッサに、前記ユーザがメディアコンテンツの好み設定を選択することを可能にする手順をさらに実行させることを特徴とする請求項１９に記載のコンピュータ読み取り可能な媒体。
【請求項２４】
前記プロセッサに、メディアコンテンツの前記一つ以上の項目を選択するために、前記ユーザの選択されたメディアコンテンツの好み設定を利用する手順をさらに実行させることを特徴とする請求項２３に記載のコンピュータ読み取り可能な媒体。
【請求項２５】
プロセッサによって実行可能なプログラムを記憶したコンピュータ読み取り可能な媒体であって、該プロセッサに、
ソーシャルネットワーク環境において、メディアコンテンツに対するユーザの相互作用を監視する手順と、
前記相互作用をデータベースに記憶する手順と、
記憶した前記相互作用に少なくとも部分的に基づき、前記ユーザと一つ以上のメディアコンテンツ項目の各々との相性を計算する手順と、
前記ソーシャルネットワーク環境に関連して一組のニュース項目を得る手順と、ここで、各ニュース項目は、前記一つ以上のメディアコンテンツ項目に関連付けられており、
前記ユーザと前記ニュース項目に関連付けられた前記メディアコンテンツ項目との相性に少なくとも部分的に基づき、該ユーザのために複数のニュース項目を選択する手順と、
該選択したニュース項目を前記ユーザに対して表示する手順と
を実行させるための前記プログラムを記憶してなるコンピュータ読み取り可能な媒体。
【請求項２６】
前記メディアコンテンツ項目は、写真、イベント通知、招待状、掲示板への投稿、連絡先、及び電子的メッセージのうち少なくとも１つである、請求項２５に記載のコンピュータ読み取り可能な媒体。
【請求項２７】
前記ユーザと前記メディアコンテンツ項目との相性は、該ユーザと該メディアコンテンツ項目との相互作用の頻度に少なくとも部分的に基づくものである、請求項２５に記載のコンピュータ読み取り可能な媒体。
【請求項２８】
一つ以上の前記ニュース項目が、前記ソーシャルネットワーク環境における前記ユーザと別のユーザとの関係に基づき、当該ユーザの個人用とされる、請求項２５に記載のコンピュータ読み取り可能な媒体。
【請求項２９】
前記選択されたニュース項目が、前記ユーザと当該ニュース項目に関連するメディアコンテンツ項目との相性に従って順序付けられる、請求項２５に記載のコンピュータ読み取り可能な媒体。
【請求項３０】
前記プログラムは、前記プロセッサに、前記ユーザのプロフィールに関連して、メディアコンテンツ好み設定を記憶する手順を更に実行させるものであり、ここで、前記メディアコンテンツ好み設定は、前記一つ以上のメディアコンテンツ項目についての該ユーザの好みを含んでおり、
前記ニュース項目は、該ユーザの前記メディアコンテンツ好み設定に少なくとも部分的に基づいて選択される、請求項２５に記載のコンピュータ読み取り可能な媒体。
【請求項３１】
前記メディアコンテンツ好み設定は、前記ユーザと別のユーザとの特定の関係についてのニュース項目を除外する指示を含む、請求項３０に記載のコンピュータ読み取り可能な媒体。
【請求項３２】
ソーシャルネットワーク環境において、動的に選択されたメディアを電子デバイスのユーザに提供するためのプログラムを記憶したコンピュータ読み取り可能な媒体であって、プロセッサに、
ソーシャルネットワーク環境において、オブジェクトに対するユーザの相互作用を監視する手順と、
前記監視した相互作用に基づき、一組の前記オブジェクトについての前記ユーザにとっての興味のレベルを測定する手順と、
前記ソーシャルネットワーク環境に関連して一組のニュース記事を得る手順と、ここで、各ニュース記事は、前記ソーシャルネットワーク環境における前記オブジェクトに対応付けられており、
前記ユーザにとって興味あると識別されたオブジェクトに少なくとも部分的に基づき、該ユーザのために複数のニュース記事を選択する手順と、
該ニュース記事のリストを前記ユーザに対して表示する手順と
を実行させるための前記プログラムを記憶してなるコンピュータ読み取り可能な媒体。
【請求項３３】
一つ以上の前記ニュース記事が、写真、イベント通知、招待状、掲示板への投稿、連絡先、及び電子的メッセージのうち少なくとも１つからなる、請求項３２に記載のコンピュータ読み取り可能な媒体。
【請求項３４】
一組の前記オブジェクトについての前記ユーザにとっての興味のレベルを測定することが、該ユーザと該オブジェクトとの相互作用の頻度に少なくとも部分的に基づくことを特徴とする請求項３２に記載のコンピュータ読み取り可能な媒体。